(57)【要約】【課題】切り込んだ外壁用断熱材の全てを内部に収納することで、内部の空洞発生や外壁用断熱材の裏面側への突出発生をなくし、断熱効果の向上と外断熱の施工の省力化が図れる断熱材用埋め込みブラケットを提供する。【解決手段】筒状胴部１２は、軸方向の途中から頭部１３の間が頭部１３に向けて大径となるテーパー部１２ａで途中から他方端部の間がストレート部１２ｂに形成され、この筒状胴部１２の他方端部が先鋭端１４になっていると共に、この筒状胴部１２の内部全長が軸方向に貫通するストレートな円形孔１５に形成されている。【選択図】  図１
2004204459.tif 000002
【特許請求の範囲】
【請求項１】
筒状胴部の一方端部における外周に外側へ張り出した頭部を設け、この筒状胴部の内部全長が軸方向に貫通するストレートな円形孔になっている断熱材用埋め込みブラケット。
【請求項２】
前記筒状胴部は、軸方向の途中から頭部の間が頭部に向けて大径となるテーパー部で途中から他方端部の間がストレート部に形成され、この筒状胴部の他方端部が先鋭端になっている請求項１に記載の断熱材用埋め込みブラケット。
【請求項３】
前記筒状胴部は、少なくとも外周の一部に雄ねじが設けられている請求項１又は２に記載の断熱材用埋め込みブラケット。
【請求項４】
前記筒状胴部の頭部を設けた一方端部の端面に、回転用工具に装着した治具の係合孔が円形孔を囲むように設けられている請求項１乃至３の何れかに記載の断熱材用埋め込みブラケット。
【請求項５】
柱の外側に外壁用断熱材を配置し、この外壁用断熱材の外面で柱と対応する位置に、外壁材の取り付け用となる胴縁材を重ね、上記胴縁材から柱にねじ込む締結部材で外壁用断熱材を柱に固定するようにした外壁用断熱材の施工方法であり、外壁用断熱材の厚みに見合う長さを有する請求項１乃至４の何れかに記載の断熱材用埋め込みブラケットを用い、外壁用断熱材の柱と胴縁材の間に位置させる部分の上下複数箇所に、上記ブラケットを進入させてこの進入時に切り取った外壁用断熱材を筒状胴部内に収めるように埋設し、このブラケットの埋設部分を挟むようにして胴縁材を柱に締結部材で固定することを特徴とする外壁用断熱材の施工方法。
【発明の詳細な説明】
【０００１】
【発明の属する技術分野】
この発明は、建築物の外壁に組み込み使用する断熱材の施工に用いる埋め込みブラケットと、このブラケットを用いた外壁用断熱材の施工方法に関する。
【０００２】
【従来の技術】
近年、住宅等の建築物の断熱効率を向上させるため、外壁に施す断熱方法は、建物躯体の内側に断熱材を入れる内断熱から、建物躯体の外側を包む外断熱へと移行している。
【０００３】
この外断熱は、建築物の外壁において、柱の外側に外壁用断熱材を配置することにより、断熱効果の向上と室内側での結露の発生を抑え、カビやダニの発生を防ぐことができるという利点がある。
【０００４】
図８と図９は、住宅の外壁に施す従来の外断熱の施工例を示し、柱１の外側に外壁用断熱材２を配置し、この外壁用断熱材２の外面で柱１と対応する位置に、外壁材３の取り付け用となる胴縁材４を重ね、上記胴縁材４から外壁用断熱材２を貫通して柱１にねじ込む締結部材５で、外壁用断熱材２を柱１に固定し、この後、胴縁材４の外面に外壁材３をねじや釘等の締結部材６で固定するようにしていた。
【０００５】
ところで、上記外壁用断熱材２は、軟質の発泡体を用いて形成されているため、加圧力に対して収縮することになり、従来のように、外壁用断熱材２の外面に胴縁材４を重ね、締結部材５を胴縁材４から外壁用断熱材２を貫通して柱１にねじ込む方法では、胴縁材４で外壁用断熱材２を直接加圧することになるので、外壁用断熱材２は胴縁材４の重なる部位において、締結部材５による締め付け位置が部分的に凹入し、これが原因で胴縁材４が波打ち状となり上下直線状に取り付けることができない。
【０００６】
また、胴縁材４は、木製の角材であるので元々反りがあり、図１０（Ａ）のような外反りや、図１０（Ｂ）のような内反りの形状を、上記のような取り付け構造で矯正しようとすると、外壁用断熱材２に大きな圧縮力を加えることになり、外壁用断熱材２に破損が生じることになるので、実際には反りがあるまま胴縁材４を固定している。
【０００７】
上記のように、胴縁材４に波打ちや反りがあると、この胴縁材４の外側に固定する図８，図９の外壁材３が波打ちや反りのある状態で貼られるため、外壁材３の仕上がりの美観及び防水性能を損なうという問題がある。
【０００８】
このような問題の発生を防ぐ方法として、外壁用断熱材の柱と胴縁材の間に位置させて部分埋設することにより、胴縁材の固定時に外壁用断熱材を圧縮しないようにすると共に、胴縁材の波打ちや反りを解消するようにした埋め込みブラケットが特許第３０６２１３２号によって提案されている。
【０００９】
この埋め込みブラケットは、外壁用断熱材の厚みに見合う長さを有する筒状胴部の一端側に頭部と他端側に先鋭端とを設け、この筒状胴部の内部で一端側寄りの位置に、回転工具の係合片を複数突設した構造を有し、各係合片は筒状胴部の内面から中心に向けて突出する板状になっている。
【００１０】
【発明が解決しようとする課題】
ところで、上記のような埋め込みブラケットは、回転工具を用いて回転させながら外壁用断熱材に埋め込むと、先端で切り込んだ外壁用断熱材は筒状胴部の内部に納まることになるが、筒状胴部の内部で一端側寄りの位置に板状となる回転工具の係合片が突設され、しかも、埋め込みブラケットを回転させるときには、回転工具の一部が筒状胴部の内部に嵌まり合う状態になるので、埋め込みブラケットを外壁用断熱材に埋め込む工程の途中で、筒状胴部の内部に納まる外壁用断熱材に、係合片及び回転工具の埋め込みブラケット内に位置する部分が当接することで、切り込んだ外壁用断熱材を圧縮すると同時に、一体に回転させようとすることになる。
【００１１】
このように、埋め込みブラケットの埋め込み途中において、筒状胴部の内部に切り込まれた外壁用断熱材を、係合片及び回転工具で圧縮したり一体に回転させようとすると、埋め込みブラケットの埋め込みの終盤に抵抗が大きくなり、埋め込み工程に支障をきたすことになる。
【００１２】
また、埋め込みブラケットの内部に切り込んだ外壁用断熱材を、強制回転させると、強制回転と同時に切り込んだ外壁用断熱材が残りの部分から破断されることになり、埋め込み完了時に破断部分から残りの部分が、埋め込みブラケットの内部から押し出されて離脱したり、外壁用断熱材の裏面側に突出することになる。
【００１３】
上記のように、筒状胴部の内部で一端側寄りの位置に係合片が突設されていると、切り込んだ外壁用断熱材で一端側寄りの位置を埋めることができないので、筒状胴部の内部に空間ができ、更に、切り込んだ外壁用断熱材が埋め込みブラケットの内部から押し出されて離脱した場合も、筒状胴部の内部に空洞が発生し、この空間の発生が断熱効果を低下させる原因になる。
【００１４】
更に、切り込んだ外壁用断熱材が裏面側に突出すると、柱と胴縁材間における厚みの変動を生じさせる原因になる。
【００１５】
そこで、この発明の課題は、外壁用断熱材の圧縮変形をなくし、胴縁材の反りや波打ちを矯正することのできる埋め込みブラケットにおいて、切り込んだ外壁用断熱材の全てを内部に収納することで、内部の空洞発生や外壁用断熱材の裏面側への突出発生をなくし、断熱効果の向上と外断熱の施工の省力化が図れ、高気密、高断熱を損なうことがない断熱材用埋め込みブラケットと、このブラケットを用いた外壁用断熱材の施工方法を提供することにある。
【００１６】
【課題を解決するための手段】
上記のような課題を解決するため、請求項１の発明は、筒状胴部の一方端部における外周に外側へ張り出した頭部を設け、この筒状胴部の内部全長が軸方向に貫通するストレートな円形孔になっている構成を採用したものである。
【００１７】
上記頭部は、角形や楕円形、長円形に形成し、手回しによる回転操作が容易なようになっていると共に、外壁用断熱材に対して広い重なり面を確保することができるようになっている。
【００１８】
請求項２の発明は、前記筒状胴部は、軸方向の途中から頭部の間が頭部に向けて大径となるテーパー部で途中から他方端部の間がストレート部に形成され、この筒状胴部の他方端部が先鋭端になっている構成を採用したものである。
【００１９】
請求項３の発明は、前記筒状胴部は、少なくとも外周の一部に雄ねじが設けられている構成を採用したものであり、この雄ねじは、筒状胴部の途中から他方端部の間のストレート部に設けるようにすればよい。
【００２０】
請求項４の発明は、前記筒状胴部の頭部を設けた一方端部の端面に、回転用工具に装着した治具の係合孔が上記円形孔を囲むように設けられている構成を採用したものであり、係合孔は複数の円形孔でも周方向の長孔でもよく、回転用工具の治具には、円形孔や長孔に嵌合する係合突部が設けられている。
【００２１】
請求項５の発明は、柱の外側に外壁用断熱材を配置し、この外壁用断熱材の外面で柱と対応する位置に、外壁材の取り付け用となる胴縁材を重ね、上記胴縁材から柱にねじ込む締結部材で外壁用断熱材を柱に固定するようにした外壁用断熱材の施工方法であり、外壁用断熱材の厚みに見合う長さを有する請求項１乃至４の発明の何れかに記載の断熱材用埋め込みブラケットを用い、外壁用断熱材の柱と胴縁材の間に位置させる部分の上下複数箇所に、上記ブラケットを進入させてこの進入時に切り取った外壁用断熱材を筒状胴部内に収めるように埋設し、このブラケットの埋設部分を挟むようにして胴縁材を柱に締結部材で固定する構成を採用したものである。
【００２２】
ここで、ブラケットは硬質のプラスチック材料を用い、円筒状となる筒状胴部の全長は外壁用断熱材の厚みに略一致するように設定すると共に、筒状胴部における先鋭端は、筒状胴部の先端部分を外径面をテーパーとすることにより形成され、外壁用断熱材に対する打ち込みやねじ込み時に、外壁用断熱材を円滑に切り込んで、進入が効率良く行えるようになっている。
【００２３】
【発明の実施の形態】
以下、この発明の実施の形態を添付図面に基づいて説明する。
【００２４】
図１と図２のように、ブラケット１１は硬質のプラスチック材料を用い、断面円筒形となる筒状胴部１２の一方端部に、外周に張り出す鍔状の頭部１３と、他方端部に筒状胴部の先端部分を外径面をテーパーして形成した先鋭端１４が設けられ、筒状胴部１２の内部全長が軸方向に貫通するストレートな円形孔１５になっている。
【００２５】
上記筒状胴部１２の外径は、軸方向の途中から頭部１３の間が頭部１３に向けて大径となるテーパー部１２ａで、途中から先鋭端の間がストレート部１２ｂに形成されている。
【００２６】
なお、図１に一点鎖線で示したように、上記ストレート部１２ｂの外周に、ねじ込み用の雄ねじ１６を形成してもよく、この雄ねじ１６は、ストレート部１２ｂの外周でその先端側に無ねじ部１７を残した位置からテーパー部１２ａの小径端に達する範囲に設けられ、頭部１３側に向けて徐々に大径になるよう形成されている。
【００２７】
上記無ねじ部１７の長さは、図５のように、外壁用断熱材２にブラケット１１を進入させた時、外壁用断熱材２の背面側に、雄ねじ１６による破壊や花咲き現象が発生しない範囲で設定すればよい。
【００２８】
上記筒状胴部１２の頭部１３を設けた一方端部の端面に、図３で示す回転用工具１８に装着した治具１９の係合孔２０が上記円形孔１５の開口を囲むように設けられ、この係合孔２０は図示のような複数の円孔でも周方向の長孔でもよく、回転用工具１８の治具１９には、図示省略したが円孔や長孔に嵌合する係合突部が設けられている。
【００２９】
上記筒状胴部１２の一方端部の外周に張り出すように設けた鍔状の頭部１３は、角形や楕円形、長円形等に形成し、ブラケット１１の手回しによる回転操作が容易なようになっていると共に、外壁用断熱材２に対して広い重なり面を確保することができるようになっている。
【００３０】
なお、ブラケット１１は、手回しや打ち込みで外壁用断熱材２に対して埋め込む場合、筒状胴部１２の雄ねじ１６や治具１９の係合孔２０を省略することができ、また、回転用工具１８を用いる場合、鍔状の頭部１３は円形に形成してもよい。
【００３１】
この発明のブラケットは、上記のような構成であり、次に、このブラケットを用いた外壁用断熱材の施工方法を説明する。
【００３２】
図３のように、柱１の外面に外壁用断熱材２を重ね、この外壁用断熱材２を釘２１の打ち込みによって柱１に仮止めすると共に、図３の例では、電動ねじ込み工具１８のビットにねじ込み治具１９を取り付け、ねじ込み治具１９にブラケット１１を装着する。
【００３３】
上記電動ねじ込み工具１８の起動で回転させたブラケット１１を、外壁用断熱材２に対して柱１との重なり合う部分に前面側から押し付けると、先ず、無ねじ部１７の先鋭端１４が外壁用断熱材２を切り込むようにして進入し、次に、外周の雄ねじ１６が外壁用断熱材２に食い込むことで、ブラケット１１は外壁用断熱材２の厚み内に進入し、頭部１３が外壁用断熱材２の外面に当接して端面が外壁用断熱材２の外面と同一面になった時点で、無ねじ部１７の先鋭端１４が外壁用断熱材２の裏面に到達し、ねじ込みを完了する。
【００３４】
また、図４の例では、手によって頭部１３で保持したブラケット１１を回転させながら外壁用断熱材２に対して押し込むことにより、先鋭端１４で外壁用断熱材２を切り抜きながら進入させることもでき、このとき、ハンマー等の工具による打ち込みを併用してもよく、このようにして、外壁用断熱材２の上下複数箇所にブラケット１１を埋め込むようにする。
【００３５】
上記ブラケット１１の埋め込み時において、先鋭端１４が外壁用断熱材２を円形に切り込むことにより、筒状胴部１２の内部円形孔１５内に外壁用断熱材２の円軸状の切り屑２ａが進入し、この時、内部円形孔１５は、筒状胴部１２の軸方向に貫通するストレートになっているので、切り屑２ａは進入方向に大きな圧縮力を受けないと共に、筒状胴部１２とスリップすることで強制的な回転力を受けることがないので、切り屑２ａが途中で破断するようなことがなく、図５のように、この切り屑２ａが内部円形孔１９内の全長を閉塞することになる。
【００３６】
このように、内部円形孔１５内の全長を外壁用断熱材２の切り屑２ａで閉塞すると、内部円形孔１５に空洞の発生がなく、ブラケット１１のねじ込み部分の気密性を確保すると共に、断熱効果の低下発生を防ぐことができる。
【００３７】
上記のように、外壁用断熱材２の切り屑２ａで内部円形孔１５内の全長を閉塞すると、外壁用断熱材２の裏面側への切り屑２ａの突出発生がなく、外壁用断熱材２の厚みに変動を生じさせることがない。
【００３８】
また、ブラケット１１の筒状胴部１２は、途中から頭部の間が頭部に向けて大径となるテーパー部１２ａになっているので、ねじ込み時にテーパー部１２ａが外壁用断熱材２と圧着することでねじ込み固定強度が向上する。
【００３９】
更に、筒状胴部１２に雄ねじ１６を設けた場合、筒状胴部１２の先端を無ねじ部１７に形成しておくと、無ねじ部１７の先端が外壁用断熱材２の背面に到達するとき、雄ねじ１６による外壁用断熱材２の破壊を防ぎ、外壁用断熱材２の背面に花咲き状態や突出部分の発生がなく、柱１から外壁用断熱材２の浮き上がりが生じないことになる。
【００４０】
ブラケット１１の埋め込みが完了すると、図６と図７のように、外壁用断熱材２の前面に透湿シート２２を貼り付けた後、外壁用断熱材２のブラケット１１をねじ込んだ位置に胴縁材４を重ね、締結部材５をこの胴縁材４から外壁用断熱材２を貫通するよう柱１にねじ込みむことにより、柱１に胴縁材４を固定する。
【００４１】
上記締結部材５による胴縁材４の固定時に、柱１と胴縁材４の間にはブラケット１１が介在することになり、従って、締結部材５を強力に締め付けても外壁用断熱材２は直接圧縮を受けることがなく、このため、上下各部の強力な締め付けにより、胴縁材４に発生している反りや波打ちを矯正することができ、胴縁材４を上下直線状に固定することができる。
【００４２】
なお、図６と図７では、締結部材５をブラケット１１と離れた位置で、胴縁材４と外壁用断熱材２を貫通して柱１にねじ込んだが、締結部材５は、ブラケット１１の軸心部を通るようにして柱１にねじ込むようにしてもよく、この場合、ブラケット１１の内部円形孔１５内は円軸状の切り屑２ａで埋まっており、締結部材５は、この切り屑２ａ内を進入することになるので、外壁用断熱材２の気密性を損なうことはない。
【００４３】
上記胴縁材４の外側に外壁材３を釘やねじ等の締結部材６で取り付ければ、建物の外壁における外断熱の施工が完了することになる。
なお、ブラケット１１の外壁用断熱材２への埋設時に、手回しで回転させながら押し込んで埋設する方法の場合、頭部１３の形状を、角形や楕円形、長円形等に形成してあるので、手回しのための回転操作が円滑に行えることになる。
【００４４】
【発明の効果】
以上のように、この発明によると、断熱材用埋め込みブラケットにおいて、筒状胴部の一方端部における外周に外側へ張り出した頭部を設け、この筒状胴部の内部全長を軸方向に貫通するストレートな円形孔に形成したので、外壁用断熱材への埋設時に切り込んだ外壁用断熱材で内部円形孔の全長を閉塞することができ、これにより内部円形孔に空洞の発生がなく、ブラケットのねじ込み部分の気密性と防水性を確保すると共に、断熱効果の低下発生を防ぐことができる。
【００４５】
また、切り込んだ外壁用断熱材で内部円形孔内の全長を閉塞すると、外壁用断熱材の裏面側への外壁用断熱材の突出発生がなく、外壁用断熱材の厚みに変動を生じさせることがないので、柱に対する胴縁材の間隔を一定に保ことができ、外壁材の仕上がりの美観及び防水性能を損なうことがない。
【図面の簡単な説明】
【図１】この発明に係るブラケットの斜視図
【図２】この発明に係るブラケットの縦断正面図
【図３】この発明に係るブラケットを回転工具で外壁用断熱材に埋め込む前の縦断側面図
【図４】この発明に係るブラケットを手回しで外壁用断熱材に埋め込む前の縦断側面図
【図５】この発明に係るブラケットをねじ込んだ外壁用断熱材に胴縁材を施工した状態の縦断側面図
【図６】この発明に係るブラケットをねじ込んだ外壁用断熱材で外断熱の施工を完了した状態の横断側面図
【図７】この発明に係るブラケットをねじ込んだ外壁用断熱材で外断熱の施工を完了した状態の横断側面図
【図８】外壁用断熱材を用いた従来の外断熱の施工を完了した状態の縦断側面図
【図９】同上の横断平面図
【図１０】（Ａ）と（Ｂ）は胴縁材の反りの発生状態を示す縦断側面図
【符号の説明】
１      柱
２      外壁用断熱材
２ａ    切り屑
３      外壁材
４      胴縁材
５      締結部材
６      締結部材
１１    ブラケット
１２    筒状胴部
１２ａ  テーパー部
１２ｂ  ストレート部
１３    頭部
１４    先鋭端
１５    円形孔
１６    雄ねじ
１７    無ねじ部
１８    回転用工具
１９    治具
２０    係合孔
２１    釘
２２    透湿シート
【図１】
2004204459.tif 000003
【図２】
2004204459.tif 000004
【図３】
2004204459.tif 000005
【図４】
2004204459.tif 000006
【図５】
2004204459.tif 000007
【図６】
2004204459.tif 000008
【図７】
2004204459.tif 000009
【図８】
2004204459.tif 000010
【図９】
2004204459.tif 000011
【図１０】
2004204459.tif 000012